(57)【要約】      （修正有）【課題】製造費用を低くできる電気コネクタを提供する。【解決手段】本の電気コネクタは、本体部及び本体部から突出する舌板を含む絶縁性本体と、絶縁性本体の舌板に挿入される第１列端子４０１及び第２列端子４０２を有する複数の導電端子４とを備える。前記第１列端子は第１端子４０３を含み、前記第２列端子は第２端子４０４を含み、第１列及び第２列端子は折曲端子を含む。前記第１及び第２端子は最初に成型される端子であり、主体部４１と主体部から折り曲げられる折曲部４２とを有する。前記折曲端子が主体部と、折曲部と、主体部と折曲部との間に配置される連接部４５と有する。前記折曲端子の連接部と折曲部とが、前記最初に成型される端子において、成型された端子の一部の折曲部が折り曲げられることによって製造される。前記第１列端子と第２列端子の折曲部とが三列に配列される。【選択図】図７
0003150940.tif 000002
【実用新案登録請求の範囲】
【請求項１】
本体部、及び前記本体部から突出する舌板を含む絶縁性本体と、
前記絶縁性本体の前記舌板に挿入される第１列端子、及び第２列端子を有する複数の導電端子とを備え、
前記第１列端子は第１端子を含み、前記第２列端子は第２端子を含み、前記第１列及び第２列端子は折曲端子を含み、前記第１、第２端子は最初に成型される端子であり、前記最初に成型される端子は、主体部と前記主体部から折り曲げられる折曲部とを有し、前記折曲端子は、主体部と、折曲部と、前記主体部及び前記折曲部の間に配置される連接部とを有し、前記折曲端子の前記連接部と、前記折曲部とが、前記最初に成型された端子において、成型された端子の一部の前記折曲部が折り曲げられることによって製造され、前記第１列端子及び前記第２列端子の前記折曲部が三列に配列されることを特徴とする電気コネクタ。
【請求項２】
前記第１列端子が前記舌板の下側に配置され、前記第２列端子が前記舌板の上側に配置され、前記第２列端子の前記折曲端子の前記折曲部が外側列に配列され、前記第１列端子の前記第１端子の前記折曲部が外側列に比べて前記本体部に寄った内側列に配列され、前記第２列端子の前記第２端子の前記折曲部が、前記外側列及び前記内側列の間の中間列に配列されることを特徴とする請求項１に記載の電気コネクタ。
【請求項３】
前記第１及び前記第２端子の前記主体部と前記折曲部との間には第１折曲点が設けられ、前記折曲端子の前記主体部及び前記連接部の間には第２折曲点が設けられ、前記折曲端子の前記連接部及び前記折曲部の間には第３折曲点が設けられ、前記第２列端子の前記第２端子の前記第１折曲点と、前記折曲端子の前記第２折曲点とが一直線に配列されることを特徴とする請求項２に記載の電気コネクタ。
【請求項４】
前記第１列端子が前記折曲端子を具備し、前記第１列端子の前記折曲端子の前記折曲部と、前記第２列端子の前記第２端子の前記折曲部とが前記中間列に配置され、前記第１列端子の前記第１端子の前記第１折曲点と、前記第１列端子の前記折曲端子の前記第２折曲点とが一直線に配列されることを特徴とする請求項２に記載の電気コネクタ。
【請求項５】
前記第１列端子が前記舌板の上側に配置され、前記第２列端子が前記舌板の下側に配置され、前記第１列端子の前記折曲部が前記外側列に配列され、前記第２列端子の前記第２端子の前記折曲部が前記外側列に比べて本体部に寄った前記内側列に配列され、前記第２列端子の前記折曲端子の前記折曲部が、前記外側列と前記内側列の間の前記中間列に配列されることを特徴とする請求項１に記載の電気コネクタ。
【請求項６】
前記内側列及び前記外側列の導電端子が信号端子であり、前記中間列の導電端子が接地端子であることを特徴とする請求項２、或いは請求項５のいずれかに記載の電気コネクタ。
【請求項７】
前記導電端子の前記折曲部が、同一平面内の傾斜部と半田接続部とを含み、同列に配列される前記導電端子の前記半田接続部が、前記傾斜部によって均等に配列されることを特徴とする請求項１に記載の電気コネクタ。
【考案の詳細な説明】
【技術分野】
【０００１】
本考案は、電気コネクタに関し、特に、ＵＳＢ（Ｕｎｉｖｅｒｓａｌ  Ｓｅｒｉａｌ  Ｂｕｓ）規格に準拠した電気コネクタに関するものである。
【背景技術】
【０００２】
従来技術のＵＳＢコネクタは、絶縁性本体と、絶縁性本体に挿入される複数の導電端子とを備える。絶縁性本体には複数の端子孔が形成される。導電端子は、第１列に配置される第１列端子と、前記第１列と異なる第２列に配置される第２列端子とを備える。前記第１及び第２列の各端子は、端子孔に収納される主体部と、主体部から折り曲げられる折曲部とを備える。前記導電端子の主体部は二列に配置され、折曲部は三列に配置され、これらの導電端子の主体部と折曲部との間の折曲点は異なる列に配置される。
【先行技術文献】
【特許文献】
【０００３】
【特許文献１】中国特許第１７０５１６８Ａ号明細書
【考案の概要】
【考案が解決しようとする課題】
【０００４】
第１及び第２端子が、異なる金型によって、異なる製造過程で製造され、これにより製造費用が高くなってしまう。
【０００５】
そこで本考案は、上述される従来技術の問題に鑑み、製造費用を低く出来る電気コネクタを提供することを目的とする。
【課題を解決するための手段】
【０００６】
前記目的を達成するために、本考案の電気コネクタは、本体部及び本体部から突出する舌板を含む絶縁性本体と、絶縁性本体の舌板に挿入される第１列端子及び第２列端子を有する複数の導電端子とを備える。前記第１列端子は第１端子を含み、前記第２列端子は第２端子を含み、前記第１列及び第２列端子は折曲端子を含む。前記第１及び第２端子は、主体部と、主体部から折り曲げられる折曲部とを有する。前記折曲端子は、主体部と、折曲部と、主体部及び折曲部の間に配置される連接部とを有する。前記折曲端子の連接部及び折曲部は、前記第１列端子において成型された、第１端子の一部の折曲部が折り曲げられることによって製造される。前記第１列端子及び第２列端子の折曲部は、三列に配列される。
【考案の効果】
【０００７】
従来技術と比べると、本考案は以下の長所を有する。本考案に係る電気コネクタの第１列端子及び第２列端子が一つの金型で製造され、ここで製造された導電端子の一部が折り曲げられて折曲端子が製造される。これにより、製造費用を低くすることができる。
【図面の簡単な説明】
【０００８】
【図１】本考案の電気コネクタの組立図である。
【図２】図１に示す電気コネクタを別の角度から見た組立図である。
【図３】図１に示す電気コネクタの底面図である。
【図４】図１に示す電気コネクタの部分組立図である。
【図５】図１に示す電気コネクタの分解斜視図である。
【図６】図１に示す電気コネクタを別の角度から見た分解斜視図である。
【図７】図６に示す導電端子の側面図である。
【図８】図７に示す導電端子の斜視図である。
【考案を実施するための形態】
【０００９】
図１〜図６を参照すると、電気コネクタ１００は、絶縁性本体１と、絶縁性本体１に収納される定位部材２と、定位部材２に挿入される複数の導電端子４と、絶縁性本体１を遮蔽するハウジング５と、ハウジング５と係合する蓋体３とを備える。
【００１０】
図５及び図６に示すように、絶縁性本体１は、本体部１１と、本体部１１から突出する舌板１２と、舌板１２と平行するように延在する底板１３とを有する。本体部１１の頂面１１３及び側面１１４には、複数の突出部１１３１、１１４１が設けられる。本体部１１の頂面１１３の両端には、一対の当接部１１３３が設けられる。本体部１１の頂面１１３には複数の凹所１１３２が形成される。本体部１１の前端面１１１には、前後方向に延在して、前記導電端子４を収納するための複数のスロット１１１１が形成される。本体部１１の底部には、底板１３の後に位置する嵌合溝１５が形成される。舌板１２は、板状部１２１と、板状部１２１から下向きに延在する一対の延在壁１２４とを含む。舌板１２の板状部１２１には、前記スロット１１１１を貫通して、前記導電端子４が挿入される複数の端子溝１２３が形成される。
【００１１】
定位部材２には複数の固定孔２１が形成される。
【００１２】
図５〜図７に示すように、導電端子４は、絶縁性本体１の舌板１２の上側に装着される第１列端子４０１と、舌板１２の下側に装着される第２列端子４０２とを備える。第１列端子４０１は、第１端子４０３と第１折曲端子４０５とを含み、第２列端子４０２は、第２端子４０４と第２折曲端子４０６とを有する。第１、第２列端子４０１、４０２の各端子は、主体部４１と、主体部４１から実質的に垂直に起立するように折り曲げられる折曲部４２とを有する。主体部４１は、接触部４１１と挿入部４１２とを含む。第１、第２折曲端子４０５、４０６の各端子は、主体部４１と、折曲部４２と、主体部４１及び折曲部４２の間で両者を連接する傾斜した連接部４５とを含む。
【００１３】
ハウジング５は、天壁５１と、天壁５１に対向する底壁５２と、第１、第２側壁５３、５４と、第１、第２側壁から下向きに延在する複数の取り付け足５６とを含む。天壁５１には複数の固定孔５１１が形成される。ハウジング５の各壁には複数の弾力片５９が設けられる。
【００１４】
蓋体３は、片状部３１と、片状部３１から突出する複数の係合片３２が設けられる。各係合片３２には固持部３２１が設けられる。
【００１５】
図１〜図６に示すように、電気コネクタ１００を取り付ける時、先ず、第１、第２列端子４０１、４０２が定位部材２の固定孔２１に固着される。定位部材２は、絶縁性本体１の嵌合溝１５と嵌合し、底板１３の底面と面一になる。図７及び図８に示すように、第２列端子４０２と第１列端子４０１とは、それぞれ絶縁性本体１の舌板１２の上、下側に装着され、第２、第１列端子４０２４０１の接触部４１１は、それぞれ舌板１２の上、下側から露出される。第２列端子４０２の第２折曲端子４０６の折曲部４２は外側列に配置され、第１列端子４０１の第１端子４０３の折曲部４２は前記外側列と比べて本体部１１の後面に更に寄った内側列に配置され、第１列端子４０１の第１折曲端子４０５の折曲部４２と、第２列端子４０２の第２端子４０４の折曲部４２とは、前記外側列と内側列の間に位置する中間列に配置される。これにより、第１列端子４０１の第１折曲端子４０５の折曲部４２は、連接部４５によって、第２列端子４０２の第２端子４０４の折曲部４２と一直線に配置される。内側列と外側列の端子が、信号を転送するために用いられ、中間列の端子は接地するために用いられる。
【００１６】
前記第１、第２端子４０３、４０４の主体部４１及び折曲部４２の間には、第１折曲点４６が設けられる。第１、第２折曲端子４０５、４０６の主体部４１及び連接部４５の間には、第２折曲点４３が設けられる。第１、第２折曲端子４０５、４０６の連接部４５及び折曲部４２の間には、第３折曲点４４が設けられる。第１列端子４０１の第１折曲点４６と、第１折曲端子４０５の第２折曲点４３とは一直線に配列される。第２列端子４０２の第２端子４０４の第１折曲点４６と、第２折曲端子４０６の第２折曲点４３とは一直線に配列される。導電端子４の折曲部４２は、同一平面内に傾斜部４２２と、半田接続部４２３とを含む。同列に配列される導電端子４の半田接続部４２３は、傾斜部４２２によって均等に配列される。
【００１７】
他の実施形態において、第１、第２列端子４０１、４０２の内の一方、或いは他方だけが、折曲端子を有する。第１、第２列端子４０１、４０２の接触部４１１は二列に配置され、第１、第２列端子４０１、４０２の折曲部４２は、折曲端子によって三列に配置される。或いは、第１列端子４０１が、第１端子４０３及び第１折曲端子４０５を含み、第２列端子４０２が、第２折曲端子４０６だけを含む。
【００１８】
第１列端子４０１と第２列端子４０２とは、一つの金型で製造され、製造された導電端子４の一部が折り曲げられて、第１、第２折曲端子４０５、４０６が製造される。これにより、製造費用を低くすることができる。
【００１９】
最後に、ハウジング５が絶縁性本体１を遮蔽する。ハウジング５の底壁５２は、絶縁性本体１の舌板１２と、底板１３との間に挿入される。蓋体３は、ハウジング５に装着され、蓋体３の一対の係合片３２は絶縁性本体１の一対の凹所１１３２に嵌合され、固持部３２１はハウジング５の固定孔５１１と係合する。ハウジング５の後端は、絶縁性本体１の当接部１１３３と当接する。
【００２０】
以上、本考案について好ましい実施形態を参照して詳細に説明したが、実施形態はあくまでも例示的なものであり、これらに限定されるものではない。また上述の説明において、本考案に基づき成し得る細部の修正、或いは変更などは、いずれも本考案の技術的範囲に属するものである。
【符号の説明】
【００２１】
１  絶縁性本体
１００  電気コネクタ
１１  本体部
１１１  前端面
１１１１  スロット
１１３  頂面
１１３１，１１４１  突出部
１１３２  凹所
１１３３  当接部
１１４  側面
１１５  嵌合溝
１２  舌板
１２１  板状部
１２３  端子溝
１２４  延在壁
１３  底板
１５  嵌合溝
２  定位部材
２１  固定孔
３  蓋体
３１  片状部
３２  係合片
３２１  固持部
４  導電端子
４０１  第１列端子
４０２  第２列端子
４０３  第１端子
４０４  第２端子
４０５  第１折曲端子
４０６  第２折曲端子
４１  主体部
４１１  接触部
４１２  挿入部
４２  折曲部
４２２  傾斜部
４２３  半田接続部
４３  第２折曲点
４４  第３折曲点
４５  連接部
４６  第１折曲点
５  ハウジング
５１  天壁
５１１  固定孔
５２  底壁
５３  第１側壁
５４  第２側壁
５６  取り付け足
５９  弾力片
【図１】
0003150940.tif 000003
【図２】
0003150940.tif 000004
【図３】
0003150940.tif 000005
【図４】
0003150940.tif 000006
【図５】
0003150940.tif 000007
【図６】
0003150940.tif 000008
【図７】
0003150940.tif 000009
【図８】
0003150940.tif 000010